(57)【要約】【課題】端末装置と表示装置とを無線接続する場合に、より高い確率で誤接続を防止可能とする。【解決手段】表示装置１０１は、有線ケーブル１０３を通じて、表示装置の識別子情報を含む設定情報を端末装置１０２に送信する。端末装置１０２は、無線アクセスポイント装置１０４に接続し、無線アクセスポイント装置１０４を介して、表示装置の識別子情報を含む接続要求を表示装置１０１に送信する。表示装置１０１は、接続要求に含まれる識別子情報が自表示装置の識別子情報に一致する場合、無線アクセスポイント装置１０４を介した端末装置１０２との間の無線通信を開始させる。表示装置１０１は、無線アクセスポイント装置１０４を介して端末装置１０２から映像信号を受信し、映像信号に基づく映像表示を行う。【選択図】図１
2018032899.tif 000002
【特許請求の範囲】
【請求項１】
端末装置と有線ケーブルを通じて通信を行う有線通信部と、
無線アクセスポイント装置に接続し、該無線アクセスポイント装置との間で無線通信を行う無線通信部と、
前記有線通信部を通じて、表示装置の識別子情報を含む設定情報を前記端末装置に送信する情報送信部と、
前記無線アクセスポイント装置に接続された端末装置から、前記無線通信部を通じて表示装置の識別子情報を含む接続要求を受信し、該接続要求に含まれる識別子情報が自表示装置の識別子情報に一致する場合、前記無線通信部に、前記無線アクセスポイント装置を介した前記端末装置との間の無線通信を開始させる接続処理部と、
前記無線アクセスポイント装置を介して前記端末装置から映像信号を受信し、該映像信号に基づく映像表示を行う映像表示部とを備える表示装置。
【請求項２】
前記設定情報は、前記無線アクセスポイント装置への接続に関連する無線情報を更に含む請求項１に記載の表示装置。
【請求項３】
前記無線情報は、前記無線アクセスポイント装置の識別子情報、及び前記端末装置と前記無線アクセスポイント装置との間の通信に用いられる通信方式を含む請求項２に記載の表示装置。
【請求項４】
前記設定情報は、前記表示装置のアドレス情報を更に含む請求項１から３に何れか１項に記載の表示装置。
【請求項５】
前記有線ケーブルは映像信号ケーブルである請求項１から４何れか１項に記載の表示装置。
【請求項６】
前記有線ケーブルは通信ケーブルである請求項１から４何れか１項に記載の表示装置。
【請求項７】
表示装置と有線ケーブルを通じて通信を行う有線通信部と、
無線アクセスポイント装置に接続し、該無線アクセスポイント装置との間で無線通信を行う無線通信部と、
前記有線通信部を通じて、前記表示装置から、該表示装置の識別子情報を含む設定情報を受信する情報取得部と、
前記無線アクセスポイント装置に接続された表示装置に対して、前記無線通信部を通じて前記識別子情報を含む接続要求を送信する接続要求部と、
前記無線アクセスポイント装置を介した前記表示装置との間の無線通信が開始された後、前記無線アクセスポイント装置を介して前記表示装置に映像信号を送信する映像信号送信部とを備える端末装置。
【請求項８】
表示装置と端末装置と無線アクセスポイント装置とを備え、
前記表示装置は、前記端末装置と有線ケーブルを通じて通信を行う有線通信部と、前記無線アクセスポイント装置に接続し、該無線アクセスポイント装置との間で無線通信を行う無線通信部とを有し、かつ前記端末装置は、前記表示装置と前記有線ケーブルを通じて通信を行う有線通信部と、前記無線アクセスポイント装置に接続し、該無線アクセスポイント装置との間で無線通信を行う無線通信部とを有しており、
前記表示装置は、前記端末装置と有線ケーブルを介して接続されると、有線通信部を通じて表示装置の識別子情報を含む設定情報を前記端末装置に送信し、
前記端末装置は、前記表示装置から前記有線通信部を通じて前記設定情報を受信すると、前記無線通信部を通じて、前記無線アクセスポイント装置を介して前記識別子情報を含む接続要求を前記表示装置に送信し、
前記表示装置は、前記端末装置から受信した接続要求に含まれる識別子情報が自表示装置の識別子情報に一致する場合、前記端末装置との間で前記無線アクセスポイント装置を介した通信を開始し、
前記端末装置は、前記表示装置との間で前記無線アクセスポイント装置を介した通信が開始された後、前記無線アクセスポイント装置を介して前記表示装置に映像信号を送信し、
前記表示装置は、前記無線アクセスポイント装置を介して前記端末装置から映像信号を受信し、該映像信号に基づく映像表示を行う表示システム。
【請求項９】
端末装置と有線ケーブルを介して接続された表示装置から、前記有線ケーブルを通じて、表示装置の識別子情報を含む設定情報を前記端末装置に送信するステップと、
前記端末装置から、前記有線ケーブルを通じて表示装置の識別子情報を含む接続要求を受信し、該接続要求に含まれる識別子情報が自表示装置の識別子情報に一致する場合、前記表示装置と前記端末装置との間で無線アクセスポイント装置を介した無線通信を開始するステップと、
前記無線アクセスポイント装置を介して前記端末装置から映像信号を受信し、該映像信号に基づく映像表示を行うステップとを有する表示方法。
【請求項１０】
端末装置に、
有線ケーブルを介して接続された表示装置から、前記有線ケーブルを通じて、表示装置の識別子情報を含む設定情報を受信するステップと、
前記有線ケーブルを通じて表示装置の識別子情報を含む接続要求を前記表示装置に送信するステップと、
前記端末装置との間で無線アクセスポイント装置を介した無線通信が開始された後、前記無線アクセスポイント装置を介して前記表示装置に映像信号を送信し、前記表示装置に前記映像信号に基づく映像表示を行わせるステップとを実行させるためのプログラム。
【発明の詳細な説明】
【技術分野】
【０００１】
本発明は、表示装置、端末装置、及び表示システムに関し、更に詳しくは、端末装置と表示装置とを接続して映像表示を行う表示システム、並びにそのような表示システムに用いられる表示装置及び端末装置に関する。また、本発明は、表示装置及び端末装置における表示方法及びプログラムに関する。
【背景技術】
【０００２】
例えばプロジェクタなどの表示装置と端末装置とを無線接続して、端末装置の画面をスクリーンなどに投写することがある。表示装置と端末装置とを無線接続する場合、端末装置において、プロジェクタと無線接続するための設定を実施する必要がある。端末装置の設定作業には、例えばプロジェクタのＯＳＤ（on screen display）などに示される情報が使用される。
【０００３】
しかしながら、既に他の人がプロジェクタで映像を投写している場合、ＯＳＤを表示すると、映像表示の邪魔になるという問題が生じる。また、ＯＳＤが利用可能であったとしても、端末装置の設定作業は煩雑であり、プロジェクタと端末装置との接続作業が失敗する場合も考えられる。さらに、無線接続可能なプロジェクタが複数ある場合は、誤って所望のプロジェクタとは異なるプロジェクタに接続する場合も考えられる。
【０００４】
上記問題に対し、特許文献１は、端末装置とプロジェクタと、容易に、かつ誤接続することなく無線接続する手法を開示する。特許文献１では、無線接続対応のプロジェクタと、そのプロジェクタの識別子を内蔵した無線ＬＡＮ（local area network）アダプタとが用いられる。無線ＬＡＮアダプタは、端末装置のＵＳＢ（universal serial bus）ポートに接続されると、内蔵されたアプリケーションを起動し、端末装置の無線設定を自動で実施する。また、無線ＬＡＮアダプタは、電波強度測定部を有しており、電波強度に応じてプロジェクタに接続するか否かの注意表示を端末装置の画面上に表示する。このようにすることで、誤接続が防止される。
【０００５】
また、上記問題に対し、特許文献２は、端末装置と表示装置とを無線で容易に接続するシステムを開示する。特許文献２に記載されるシステムは、端末装置と、ワイヤレスユニットと、表示装置とを含む。ワイヤレスユニットは、ＲＦＩＤ（Radio Frequency Identification）リーダ／ライタを有する。表示装置はＲＦＩＤユニットを有している。そのＲＦＩＤユニットの記憶部には、表示装置のＩＰ（internet protocol）アドレス、無線通信方式、無線通信に使用可能な周波数、及び表示装置の表示の設定パラメータなどが記憶されている。
【０００６】
端末装置にワイヤレスユニットが接続された状態で、端末装置が表示装置に近づけられると、ワイヤレスユニットのＲＦＩＤリーダ／ライタは、表示装置のＲＦＩＤユニットの記憶部から各種情報を読み出す。ワイヤレスユニットは、読み出した各種情報を端末装置に送信する。端末装置は、ワイヤレスユニットが読み出した各種情報を用いて表示装置に無線接続し、表示に関する各種設定を実施する。このようにすることで、簡易に、端末装置を所望の表示装置に無線接続することができる。
【先行技術文献】
【特許文献】
【０００７】
【特許文献１】特開２０１１−１０９２１７号公報
【特許文献２】特開２００３−２２９８６５号公報
【発明の概要】
【発明が解決しようとする課題】
【０００８】
特許文献１では、電波強度が測定され、電波強度に応じた注意表示が表示される。しかしながら、電波強度は、端末装置とプロジェクタとの間の距離や、プロジェクタなどの設置環境に依存して変化する。このため、特許文献１では、誤接続の可能性がある場合に、接続確認のガイダンスが表示されることにとどめられている。ガイダンス表示において「ＹＥＳ」を選択した場合、端末装置とプロジェクタとの接続が確立するため、誤接続の可能性を完全に排除するには至っていない。
【０００９】
また、特許文献２では、ＲＦＩＤが用いられ、表示装置が保持する情報は無線通信で読み出される。特許文献２において、複数の表示装置が近接して配置されている場合を考えると、端末装置が接続しようとしている表示装置とは異なる表示装置から情報が読み出される可能性がある。このような状況において、どの表示装置から情報が読み取られたかは目では見えないため、特許文献２においても、誤接続の可能性を排除することまではできない。より高い確率で、誤接続を防止できる技術が求められる。
【００１０】
本発明は、上記事情に鑑み、端末装置と表示装置とを無線接続する場合に、より高い確率で誤接続を防止することが可能な表示装置、端末装置、及び表示システムを提供することを目的とする。
【００１１】
また、本発明は、上記表示装置及び端末装置における表示方法及びプログラムを提供することを目的とする。
【課題を解決するための手段】
【００１２】
上記目的を達成するために、本発明は、端末装置と有線ケーブルを通じて通信を行う有線通信部と、無線アクセスポイント装置に接続し、該無線アクセスポイント装置との間で無線通信を行う無線通信部と、前記有線通信部を通じて、表示装置の識別子情報を含む設定情報を前記端末装置に送信する情報送信部と、前記無線アクセスポイント装置に接続された端末装置から、前記無線通信部を通じて表示装置の識別子情報を含む接続要求を受信し、該接続要求に含まれる識別子情報が自表示装置の識別子情報に一致する場合、前記無線通信部に、前記無線アクセスポイント装置を介した前記端末装置との間の無線通信を開始させる接続処理部と、前記無線アクセスポイント装置を介して前記端末装置から映像信号を受信し、該映像信号に基づく映像表示を行う映像表示部とを備える表示装置を提供する。
【００１３】
本発明は、また、表示装置と有線ケーブルを通じて通信を行う有線通信部と、無線アクセスポイント装置に接続し、該無線アクセスポイント装置との間で無線通信を行う無線通信部と、前記有線通信部を通じて、前記表示装置から、該表示装置の識別子情報を含む設定情報を受信する情報取得部と、前記無線アクセスポイント装置に接続された表示装置に対して、前記無線通信部を通じて前記識別子情報を含む接続要求を送信する接続要求部と、前記無線アクセスポイント装置を介した前記表示装置との間の無線通信が開始された後、前記無線アクセスポイント装置を介して前記表示装置に映像信号を送信する映像信号送信部とを備える端末装置を提供する。
【００１４】
さらに、本発明は、表示装置と端末装置と無線アクセスポイント装置とを備え、前記表示装置は、前記端末装置と有線ケーブルを通じて通信を行う有線通信部と、前記無線アクセスポイント装置に接続し、該無線アクセスポイント装置との間で無線通信を行う無線通信部とを有し、かつ前記端末装置は、前記表示装置と前記有線ケーブルを通じて通信を行う有線通信部と、前記無線アクセスポイント装置に接続し、該無線アクセスポイント装置との間で無線通信を行う無線通信部とを有しており、前記表示装置は、前記端末装置と有線ケーブルを介して接続されると、有線通信部を通じて表示装置の識別子情報を含む設定情報を前記端末装置に送信し、前記端末装置は、前記表示装置から前記有線通信部を通じて前記設定情報を受信すると、前記無線通信部を通じて、前記無線アクセスポイント装置を介して前記識別子情報を含む接続要求を前記表示装置に送信し、前記表示装置は、前記端末装置から受信した接続要求に含まれる識別子情報が自表示装置の識別子情報に一致する場合、前記端末装置との間で前記無線アクセスポイント装置を介した通信を開始し、前記端末装置は、前記表示装置との間で前記無線アクセスポイント装置を介した通信が開始された後、前記無線アクセスポイント装置を介して前記表示装置に映像信号を送信し、前記表示装置は、前記無線アクセスポイント装置を介して前記端末装置から映像信号を受信し、該映像信号に基づく映像表示を行う表示システムを提供する。
【００１５】
本発明は、端末装置と有線ケーブルを介して接続された表示装置から、前記有線ケーブルを通じて、表示装置の識別子情報を含む設定情報を前記端末装置に送信するステップと、前記端末装置から、前記有線ケーブルを通じて表示装置の識別子情報を含む接続要求を受信し、該接続要求に含まれる識別子情報が自表示装置の識別子情報に一致する場合、前記表示装置と前記端末装置との間で無線アクセスポイント装置を介した無線通信を開始するステップと、前記無線アクセスポイント装置を介して前記端末装置から映像信号を受信し、該映像信号に基づく映像表示を行うステップとを有する表示方法を提供する。
【００１６】
本発明は、端末装置に、有線ケーブルを介して接続された表示装置から、前記有線ケーブルを通じて、表示装置の識別子情報を含む設定情報を受信するステップと、前記有線ケーブルを通じて表示装置の識別子情報を含む接続要求を前記表示装置に送信するステップと、前記端末装置との間で無線アクセスポイント装置を介した無線通信が開始された後、前記無線アクセスポイント装置を介して前記表示装置に映像信号を送信し、前記表示装置に前記映像信号に基づく映像表示を行わせるステップとを実行させるためのプログラムを提供する。
【発明の効果】
【００１７】
本発明の表示装置、端末装置、表示システム、表示方法、及びプログラムは、端末装置と表示装置とを無線接続する場合に、より高い確率で誤接続を防止することができる。
【図面の簡単な説明】
【００１８】
【図１】本発明の第１実施形態に係る表示システムを示すブロック図。
【図２】表示装置の構成例を示すブロック図。
【図３】端末装置の構成例を示すブロック図。
【図４】表示システムにおける動作手順を示すフローチャート。
【図５】具体例に係る表示システムを示すブロック図。
【図６】本発明の第２実施形態に係る表示システムを示すブロック図。
【発明を実施するための形態】
【００１９】
以下、図面を参照しつつ本発明の実施の形態を詳細に説明する。図１は、本発明の第１実施形態に係る表示システムを示す。表示システム１００は、表示装置１０１、端末装置１０２、及び無線アクセスポイント装置１０４を備える。端末装置１０２は、ユーザが使用する装置である。端末装置１０２は、例えばノートパソコンなどのコンピュータ装置である。端末装置１０２は、スマートフォンや、タブレットなどの情報通信機器であってもよい。
【００２０】
表示装置１０１は、端末装置１０２から送信された映像信号に基づいて映像を表示する。表示装置１０１は、例えば端末装置１０２に備わる表示画面よりも大きな画面で映像を表示する装置として構成される。表示装置１０１は、例えばプロジェクタ装置である。端末装置１０２は、有線ケーブル１０３を介して表示装置１０１に有線で接続することができる。有線ケーブル１０３は、例えば、端末装置１０２の映像出力端子と表示装置１０１の映像入力端子との間を接続する映像信号ケーブルである。
【００２１】
本実施形態では、有線ケーブル１０３には、接続機器間で映像信号以外の情報を通信するための手段も提供する映像信号ケーブルが用いられる。具体的には、有線ケーブル１０３には、Ｄ−ｓｕｂ１５ｐｉｎケーブルやＨＤＭＩ（High-Definition Multimedia Interface）（登録商標）ケーブルなどの映像信号ケーブルが用いられる。端末装置１０２は、有線ケーブル１０３を通じて映像信号を表示装置１０１に送信する。表示装置１０１は、端末装置１０２から受信した映像信号に基づいて、例えばスクリーンに映像を投写する。
【００２２】
無線アクセスポイント装置１０４は、表示装置１０１及び端末装置１０２とそれぞれ無線接続される。無線アクセスポイント装置１０４は、ネットワーク１０５にも接続されている。端末装置１０２は、無線アクセスポイント装置１０４を介して表示装置１０１に無線で接続することもできる。その場合、端末装置１０２は、映像信号を、無線アクセスポイント装置１０４を介して表示装置１０１に送信することができる。表示装置１０１は、端末装置１０２から無線アクセスポイント装置１０４を介して受信した映像信号に基づいて、例えばスクリーンに映像を投写する。
【００２３】
本実施形態において、表示装置１０１は、端末装置１０２と有線ケーブル１０３を介して接続される前の段階で、無線アクセスポイント装置１０４への無線接続を介して、ネットワーク１０５に接続しているものとする。無線アクセスポイント装置１０４は、ＤＨＣＰ（Dynamic Host Configuration Protocol）サーバ機能を有しており、無線接続された表示装置１０１に対してＩＰアドレスを割り当てている。
【００２４】
表示装置１０１は、端末装置１０２と有線ケーブル１０３を介して接続されると、有線ケーブル１０３を通じて自装置の識別子情報を含む設定情報を端末装置１０２に送信する。識別子情報は、個々の表示装置１０１に割り当てられた独自の情報であり、識別子情報を用いることで、目的の唯一の表示装置１０１を特定することができる。設定情報は、識別子情報に加えて、無線アクセスポイント装置１０４への接続に関連する無線情報を更に含んでいてもよい。無線情報は、例えば無線アクセスポイント装置１０４の識別子情報と、通信方式に関する情報とを含む。設定情報は、更に表示装置１０１のアドレス情報を含んでいてもよい。
【００２５】
ここで、表示装置１０１と端末装置１０２との間で実施される有線ケーブル（映像信号ケーブル）１０３を用いた情報送受信は、例えばＥＤＩＤ（Extended Display Identification Data）の拡張領域に設定情報を格納する領域を設け、有線ケーブル１０３の接続後、端末装置１０２がその領域に格納された設定情報を検出することで実施されてもよい。あるいは、ＤＤＣ／ＣＩ（Display Data Channel Command Interface）通信のカスタムコマンドなどを用いて、表示装置１０１と端末装置１０２との間で、有線ケーブル１０３を通じて情報の受け渡しを行ってもよい。
【００２６】
端末装置１０２は、表示装置１０１から有線ケーブル１０３を通じて設定情報を受信すると、無線伝送アプリケーション（プログラム）を起動する。端末装置１０２は、無線アクセスポイント装置１０４にまだ接続しておらず、かつ設定情報が無線情報を含む場合は、設定情報から無線情報を抽出し、抽出した無線情報を用いて、無線アクセスポイント装置１０４に接続する処理を実施する。端末装置１０２が無線アクセスポイント装置１０４に接続すると、無線アクセスポイント装置１０４のＤＨＣＰサーバ機能は、端末装置１０２に対してＩＰアドレスを割り当てる。端末装置１０２は、無線アクセスポイント装置１０４を通じて、表示装置１０１が接続するネットワーク１０５に接続される。
【００２７】
端末装置１０２は、受信した設定情報から表示装置１０１の識別子情報を抽出し、抽出した表示装置１０１の識別子情報を含む接続要求を、無線アクセスポイント装置１０４を介して表示装置１０１に送信する。端末装置１０２は、設定情報が表示装置１０１のアドレス情報を含む場合、設定情報からアドレス情報を抽出し、抽出したアドレス情報が示す宛て先へ、無線アクセスポイント装置１０４を介して接続要求を送信する。
【００２８】
表示装置１０１は、端末装置１０２から接続要求を受信すると、接続要求に含まれる識別子情報と自装置の識別子情報とを照合し、両者が一致するか否かを調べる。表示装置１０１は、両者が一致する場合、無線アクセスポイント装置１０４を介した端末装置１０２との間の無線通信を開始する。表示装置１０１と有線ケーブル１０３を介して接続された端末装置１０２から送信された接続要求には、端末装置１０２が有線ケーブル１０３を介して接続する表示装置１０１の識別子情報が含まれる。従って、表示装置１０１は、有線ケーブル１０３を介して接続された端末装置１０２から接続要求を受信した場合、その端末装置１０２との間で無線アクセスポイント装置１０４を介した無線通信を開始する。
【００２９】
端末装置１０２は、表示装置１０１との間で無線アクセスポイント装置１０４を介して通信が開始された後、無線アクセスポイント装置１０４を介して表示装置１０１に映像信号を送信する。表示装置１０１は、無線アクセスポイント装置１０４を介して端末装置１０２から映像信号を受信し、受信した映像信号に基づいてスクリーンに映像を投写することで映像表示を行う。
【００３０】
上記手順の途中で、何れかの接続処理に失敗した場合は、表示装置１０１は、再度、端末装置１０２へ設定情報を送信する。設定情報の送信からリトライを実施することで、接続性を高めることが可能である。表示装置１０１と端末装置１０２との間で無線アクセスポイント装置１０４を介した無線通信が開始された後は、有線ケーブル１０３を取り外しても、接続を切断し、又は表示装置１０１若しくは無線アクセスポイント装置１０４の無線設定を変更しない限り、無線伝送を用いて、端末装置１０２の映像を表示装置１０１に表示させることが可能である。無線伝送を用いて映像を投写している間に、別の端末装置を同様な手順で表示装置１０１に無線接続することも可能である。例えば、会議室内に設置された表示装置１０１に、会議参加者のそれぞれが持参した端末装置を順次に無線接続していく、といった使い方も想定される。
【００３１】
図２は、表示装置１０１の構成例を示す。表示装置１０１は、映像入力端子１１１、有線通信部１１２、情報送信部１１３、無線通信部１１４、接続処理部１１５、及び映像表示部１１６を有する。表示装置１０１は、プロセッサやメモリなどを有しており、表示装置１０１内の各部の少なくとも一部の機能、例えば情報送信部１１３及び接続処理部１１５の機能は、プロセッサがプログラムを実行することで実現されてもよい。
【００３２】
映像入力端子１１１は、有線ケーブル１０３（図１を参照）が接続される端子である。有線通信部１１２は、映像入力端子１１１に接続された有線ケーブル１０３を通じて、端末装置１０２と通信を行う。無線通信部１１４は、無線アクセスポイント装置１０４に接続し、無線アクセスポイント装置１０４との間で無線通信を行う。
【００３３】
情報送信部１１３は、有線ケーブル１０３を介して表示装置１０１に接続された端末装置１０２に、有線通信部１１２を通じて、表示装置の識別子情報を含む設定情報を送信する。接続処理部１１５は、無線アクセスポイント装置１０４に接続された端末装置１０２から、無線通信部１１４を通じて表示装置の識別子情報を含む接続要求を受信する。
【００３４】
接続処理部１１５は、接続要求に含まれる識別子情報と自装置の識別情報とを比較する。接続処理部１１５は、両者が一致する場合、無線通信部１１４を通じて、要求元の端末装置１０２へ接続許可の応答を送信する。端末装置１０２へ接続許可の応答が送信された場合、表示装置１０１と端末装置１０２との無線アクセスポイント装置１０４を介した無線接続が確立される。無線通信部１１４は、無線アクセスポイント装置１０４を介した端末装置１０２との間の無線通信を開始する。接続処理部１１５は、識別子情報が一致しない場合は、接続不可の応答を端末装置１０２に送信する。この場合、表示装置１０１と端末装置１０２との無線アクセスポイント装置１０４を介した無線接続は確立されない。
【００３５】
映像表示部１１６は、有線通信部１１２が有線ケーブル１０３を通じて受信した映像信号、又は無線通信部１１４が無線アクセスポイント装置１０４を介して受信した映像信号に基づいて映像の表示を行う。映像表示部１１６は、例えば表示装置１０１がプロジェクタ装置であれば、映像信号を処理する信号処理部、光源、映像信号に基づいて制御される液晶パネル、拡大レンズ系、及び冷却器などを含む。表示装置１０１は、端末装置１０２から送信された映像信号に基づいて映像を表示するものであればよく、プロジェクタ装置には限定されない。
【００３６】
図３は、端末装置１０２の構成例を示す。端末装置１０２は、映像出力端子１２１、有線通信部１２２、情報取得部１２３、無線通信部１２４、接続要求部１２５、及び映像信号送信部１２６を有する。端末装置１０２は、プロセッサやメモリなどを有しており、端末装置１０２内の各部の少なくとも一部の機能、例えば情報取得部１２３、接続要求部１２５、及び映像信号送信１２６の機能は、プロセッサがプログラムを実行することで実現されてもよい。
【００３７】
映像出力端子１２１は、有線ケーブル１０３（図１を参照）が接続される端子である。有線通信部１２２は、映像出力端子１２１に接続された有線ケーブル１０３を通じて、表示装置１０１と通信を行う。無線通信部１２４は、無線アクセスポイント装置１０４に接続し、無線アクセスポイント装置１０４との間で無線通信を行う。
【００３８】
情報取得部１２３は、有線ケーブル１０３を介して端末装置１０２に接続された表示装置１０１から、有線通信部１２２を通じて設定情報を受信する。情報取得部１２３は、受信した設定情報を、図示しない揮発性メモリ領域に記憶する。設定情報は、例えば端末装置１０２を無線アクセスポイント装置１０４に接続するための無線情報と、表示装置１０１の識別子情報と、ネットワーク１０５における表示装置１０１のアドレス情報とを含む。無線通信部１２４は、設定情報に含まれる無線情報を用いて、無線アクセスポイント装置１０４に無線接続する。無線情報は、例えば、無線アクセスポイント装置１０４のＳＳＩＤ（Service Set Identifier）及びセキュリティ情報（通信方式に関する情報）を含む。
【００３９】
無線通信部１２４が無線アクセスポイント装置１０４に無線接続すると、表示装置１０１と端末装置１０２とは、同じネットワーク１０５に接続される。接続要求部１２５は、無線通信部１２４を通じて、表示装置１０１に接続要求を送信する。このとき、接続要求部１２５は、設定情報に含まれるアドレス情報が示す宛て先へ、接続要求を送信する。設定情報に含まれるアドレス情報は、端末装置１０２と有線ケーブル１０３を介して接続された表示装置１０１のアドレスを示しており、接続要求は、その表示装置１０１に送信される。
【００４０】
接続要求部１２５は、表示装置１０１の接続処理部１１５（図２を参照）から、接続要求に対する応答を受信する。接続要求部１２５が接続処理部１１５から接続許可の応答を受信した場合、表示装置１０１と端末装置１０２との間の無線アクセスポイント装置１０４を介した無線接続が確立される。無線通信部１２４は、無線アクセスポイント装置１０４を介した表示装置１０１との間の無線通信を開始する。接続要求部１２５は、表示装置１０１と端末装置１０２との間の無線接続が確立された場合、情報取得部１２３が揮発性メモリ領域に記憶した設定情報を削除する。接続要求部１２５が接続不可の応答を受信した場合、表示装置１０１と端末装置１０２との間の無線アクセスポイント１０４を介した無線接続は確立されない。
【００４１】
映像信号送信部１２６は、有線通信部１２２又は無線通信部１２４を通じて、表示装置１０１に映像信号を送信する。映像信号送信部１２６は、無線アクセスポイント装置１０４を介した表示装置１０１との間の無線通信が開始された場合、無線通信部１２４を通じて表示装置１０１に映像信号を送信する。映像信号送信部１２６は、表示装置１０１との無線接続が確立された場合、直ちに映像信号を送信してもよい。あるいは、映像信号送信部１２６は、準備ができた旨をユーザに通知し、接続するか否かをユーザに選択させる確認画面を表示させ、ユーザが接続することを選択した場合に、映像信号を送信することとしてもよい。表示装置１０１から端末装置１０２に送信される設定情報に表示装置１０１の名称を含ませおき、その名称を、確認画面においてユーザに接続の選択を促す場合の補助情報として用いてもよい。
【００４２】
続いて、動作手順を説明する。図４は、表示システムの動作手順を示す。表示装置１０１は、事前に、無線アクセスポイント装置１０４に接続されている（ステップＳ１）。端末装置１０２のユーザは、有線ケーブル１０３を用いて、表示装置１０１と端末装置１０２とを接続する（ステップＳ２）。端末装置１０２は、有線ケーブル１０３を介して表示装置１０１と接続されたことを検知すると、表示装置１０１に設定情報の送信を要求する。表示装置１０１は、端末装置１０２に有線ケーブル１０３を通じて設定情報を送信する（ステップＳ３）。
【００４３】
例えば、端末装置１０２の情報取得部１２３（図３を参照）は、有線通信部１２２が表示装置１０１と有線ケーブル１０３を通じて通信可能になったことを検知すると、有線通信部１２２を通じて、表示装置１０１に設定情報の送信要求を送信する。表示装置１０１の情報送信部１１３（図２を参照）は、有線通信部１１２を通じて設定情報の送信要求を受信する。情報送信部１１３は、ステップＳ３において、送信要求に対する応答として、表示装置１０１の識別子情報と無線情報とアドレス情報とを含む設定情報を送信する。
【００４４】
端末装置１０２は、設定情報を受信すると、無線アクセスポイント装置１０４に接続する（ステップＳ４）。ステップＳ４では、端末装置１０２の無線通信部１２４は、情報取得部１２３が取得した設定情報から抽出された無線情報を用いて無線アクセスポイント装置１０４に接続する。なお、端末装置１０２を無線アクセスポイント装置１０４に接続するタイミングは任意であり、設定情報を受信した後には限定されない。端末装置１０２は、有線ケーブル１０３で表示装置１０１と接続される前の時点において、無線アクセスポイント装置１０４に接続していてもよい。その場合、設定情報は無線情報を含んでいなくてもよい。
【００４５】
端末装置１０２は、無線アクセスポイント装置１０４への接続後、無線アクセスポイント装置１０４を介して表示装置１０１に接続要求を送信する（ステップＳ５）。ステップＳ５では、端末装置１０２の接続要求部１２５は、表示装置１０１から送信された設定情報に含まれていた識別子情報を含む接続要求を生成する。接続要求部１２５は、生成した接続要求を、設定情報に含まれていたアドレス情報が示す宛て先に向けて、無線通信部１２４を通じて無線アクセスポイント装置１０４に送信する。無線アクセスポイント装置１０４は、端末装置１０２から受信した接続要求を、その宛て先である表示装置１０１に転送する。
【００４６】
表示装置１０１は、無線アクセスポイント装置１０４を介して接続要求を受信すると、接続要求に含まれる識別子情報と、自装置の識別子情報とが一致するか否かを判断する（ステップＳ６）。ステップＳ６では、表示装置１０１の接続処理部１１５は、無線通信部１１４を介して受信した接続要求から識別子情報を抽出する。接続処理部１１５は、抽出した識別子情報と、図示しない不揮発性メモリなどに記憶されている自装置の識別子情報とを比較する。
【００４７】
表示装置１０１は、ステップＳ６で、識別子情報が一致すると判断した場合、無線アクセスポイント装置１０４を介して端末装置１０２に接続許可を応答する（ステップＳ７）。ステップＳ７では、表示装置１０１の接続処理部１１５は、無線通信部１１４を通じて、接続要求を送信した端末装置１０２に接続許可の応答を送信する。この場合、表示装置１０１と端末装置１０２との無線アクセスポイント装置１０４を介した無線接続が確立される。
【００４８】
端末装置１０２は、表示装置１０１との無線接続が確立されると、無線アクセスポイント装置１０４を介して映像信号を送信する（ステップＳ８）。ステップＳ８では、端末装置１０２の映像信号送信部１２６は、無線通信部１２４を通じて映像信号を表示装置１０１に向けて送信する。表示装置１０１は、受信した映像信号に基づいて、映像を表示する（ステップＳ９）。ステップＳ９では、表示装置１０１の映像表示部１１６は、無線通信部１１４を通じて受信した映像信号に基づく映像を、例えばスクリーンなどに投写する。このようにすることで、表示装置１０１と端末装置１０２との間の無線接続を、ＯＳＤを表示することなく、容易に、かつ誤接続なく実現することができる。
【００４９】
表示装置１０１は、ステップＳ６で識別子情報が一致しないと判断した場合は、無線アクセスポイント装置１０４を介して端末装置１０２に接続不可を応答する（ステップＳ１０）。ステップＳ１０では、表示装置１０１の接続処理部１１５は、無線通信部１１４を通じて、接続要求を送信した端末装置１０２に接続付加の応答を送信する。この場合、表示装置１０１と端末装置１０２との無線アクセスポイント装置１０４を介した無線接続は確立されない。
【００５０】
なお、上記手順において、何れかの段階で失敗した場合、具体的には、ステップＳ４で無線アクセスポイント装置１０４への接続に失敗した場合、ステップＳ５の接続要求が表示装置１０１に到達しなかった場合、又は、ステップＳ６で識別子が一致しないと判断されず接続不可の応答が送信された場合には、ステップＳ３に戻り、端末装置の表示装置への接続をリトライしてもよい。その場合、リトライの回数をカウントし、リトライの回数が所定の規定値を超えるまで、リトライを繰り返すこととしてもよい。
【００５１】
本実施形態では、表示装置１０１は、有線ケーブル１０３で接続された端末装置１０２に表示装置１０１の識別子情報を送信する。表示装置１０１は、無線アクセスポイント装置１０４を介して端末装置１０２から接続要求を受信した場合、識別子情報が一致した場合に接続を許可する。本実施形態では、ユーザは、表示装置への映像信号の無線伝送の開始前に、端末装置１０２を、映像を表示させたい表示装置１０１に有線ケーブル１０３を用いて接続させる。このようにした場合、ユーザは、端末装置１０２の接続先を目視で確認することができるため、無線伝送の際の誤接続をより確実に防止することができる。
【００５２】
例えば、端末装置１０２が接続可能な表示装置が複数台ある場合を考える。複数台の表示装置のうち、所望の表示装置とは異なる表示装置に誤接続すると、意図しない表示装置において映像表示が行われることになる。本実施形態では、ユーザは、端末装置１０２を表示装置１０１に無線接続する前に、表示装置１０１と端末装置１０２とを有線ケーブル１０３を用いて接続する。表示装置１０１が、有線ケーブル１０３を通じて表示装置１０１から端末装置１０２に表示装置の識別子情報を送信し、有線ケーブル１０３を通じて識別子情報を受信した端末装置１０２から接続要求があった場合にそれを許可することで、誤接続をより確実に防止できる。
【００５３】
また、本実施形態では、設定情報は、表示装置１０１と接続された無線アクセスポイント装置１０４への接続に関連する。設定情報に含まれる無線情報を用いて端末装置１０２と無線アクセスポイント装置１０４との無線接続を実施することで、ユーザが、端末装置１０２を表示装置１０１と同じネットワークに接続させるための情報をあらかじめ知らない場合でも、端末装置１０２を表示装置１０１と同じネットワークに接続させることができる。無線情報を用いて端末装置１０２を表示装置１０１と同じネットワークに接続させることで、端末装置１０２から表示装置１０１に無線アクセスポイント装置１０４を介して接続要求を送信させることが可能となる。
【００５４】
以下、具体例を用いて説明する。図５は、具体例に係る表示システムを示す。この例では、表示装置１０１はプロジェクタ装置であり、端末装置１０２はノートＰＣである。また、無線アクセスポイント装置１０４は、無線ＬＡＮを構築する無線ＬＡＮアクセスポイント装置である。図５の例では、ネットワーク１０５には、他の端末装置１０６及び１０７が、有線又は無線で、無線アクセスポイント装置１０４に接続されている。
【００５５】
プロジェクタ装置である表示装置１０１は、外部から映像信号を入力するための映像入力端子１１１（図２を参照）として、ＲＧＢ（Red Green Blue）ケーブル入力端子（Ｄ−ｓｕｂ１５ｐｉｎ）を有している。表示装置１０１のＭＡＣ（Media Access Control）アドレスは、「００：１１：２２：３３：４４：５５」であるとする。
【００５６】
無線アクセスポイント装置１０４には、他の無線機器から接続するためのＳＳＩＤと、セキュリティ情報とが設定されている。例えば、無線アクセスポイント装置１０４のＳＳＩＤとして「ＡｃｃｅｓｓＰｏｉｎｔ」が設定されており、セキュリティ情報として暗号化がＷＰＡ２−ＰＳＫ（Wi-Fi Protected Access 2 Pre-Shared Key）で有効、かつＰＳＫキーに「ＡＢＣＤＥＦＧＨ」が設定されているとする。
【００５７】
ユーザは、無線アクセスポイント装置１０４の情報を表示装置１０１のＯＳＤ操作などを通じて入力し、表示装置１０１と無線アクセスポイント装置１０４との間を無線ＬＡＮ接続する。無線ＬＡＮ接続はネットワーク管理者が実施してもよい。無線アクセスポイント装置１０４はＤＨＣＰサーバ機能を内蔵しており、例えば表示装置１０１にＩＰアドレス「１９２．１６８．０．１０」を割り当てる。
【００５８】
端末装置１０２は、ノートＰＣであり、映像信号を外部機器に出力するための映像出力端子１２１（図３を参照）として、ＲＧＢケーブル出力端子（Ｄ−ｓｕｂ１５ｐｉｎ）を有する。ユーザは、端末装置１０２に、あらかじめ無線伝送アプリケーションのソフトウェアをインストールする。無線伝送アプリケーションは、例えばインタネットからダウンロードされ、セットアップされる。あるいは、無線伝送アプリケーションは、ＣＤ−ＲＯＭ（Compact Disc Read Only Memory）などの媒体を通じてユーザに提供される。無線伝送アプリケーションは、図３に示される情報取得部１２３及び接続要求部１２５の機能を提供する。また、無線伝送アプリケーションは、映像信号送信部１２６の機能のうち、特に無線通信部１２４を通じて映像信号を送信する部分の機能を提供する。
【００５９】
表示装置１０１は、上記したように、無線アクセスポイント装置１０４に無線ＬＡＮ接続しており、ＩＰアドレスが割り当てられている。そのような表示装置１０１と端末装置１０２とを有線ケーブル（ＲＧＢ信号ケーブル）１０３で接続すると、端末装置１０２は、例えばＥＤＩＤ情報に基づいて、表示装置１０１との映像信号ケーブル接続を検出する。端末装置１０２の無線伝送アプリケーションは、映像信号ケーブル接続を検出すると、ＤＤＣ／ＣＩ通信を用いて、表示装置１０１に設定情報の送信を要求する。無線伝送アプリケーションは、あらかじめ起動されていてもよいし、映像信号ケーブル接続の検出後に起動されてもよい。
【００６０】
表示装置１０１は、有線ケーブル１０３を通じて設定情報の送信要求を受信すると、自身の識別子情報と無線情報とアドレス情報とを含む設定情報を生成し、端末装置１０２に送信する。識別子情報には、例えば表示装置１０１のＭＡＣ（Media Access Control）アドレスが用いられる。無線情報は、表示装置１０１が接続している無線ＬＡＮの情報であり、無線アクセスポイント装置１０４のＳＳＩＤ、暗号化の種別、及び暗号キーを含む。これら情報は、例えば、表示装置１０１が無線アクセスポイント装置１０４へ接続されるときに、表示装置１０１内において保持されている。表示装置１０１は、例えば表示装置の識別子情報「００：１１：２２：３３：４４：５５」、ＳＳＩＤ「ＡｃｃｅｓｓＰｏｉｎｔ」、暗号化の種別「ＷＰＡ２−ＰＳＫ」、ＰＳＫキー「ＡＢＣＤＥＦＧＨ」、及びＩＰアドレス「１９２．１６８．０．１０」を含む設定情報を、設定情報の送信要求に対する応答として端末装置１０２に返送する。
【００６１】
端末装置１０２の無線伝送アプリケーションは、設定情報を受信すると、設定情報に含まれるＳＳＩＤ、暗号化の種別、及びＰＳＫキーを用いて、無線アクセスポイント装置１０４への無線接続設定を実行し、端末装置１０２を無線ＬＡＮへ接続する。端末装置１０２の無線ＬＡＮへの接続に成功すると、無線アクセスポイント装置１０４のＤＨＣＰサーバ機能は、端末装置１０２に対してＩＰアドレス「１９２．１６８．０．１１」を割り当てる。
【００６２】
無線伝送アプリケーションは、無線ＬＡＮへの接続後、設定情報に含まれるＩＰアドレス１９２．１６８．１．１０に対して、無線伝送の接続要求を送信する。この接続要求には、設定情報に含まれていた識別子情報「００：１１：２２：３３：４４：５５」が含まれる。表示装置１０１は、無線アクセスポイント装置１０４を介して、端末装置１０２から接続要求を受信する。
【００６３】
表示装置１０１は、自装置の識別情報が端末装置１０２から送信された識別子情報に一致するか否かを判断する。表示装置１０１は、識別子情報が一致する場合、接続許可の応答を、ＩＰアドレス１９２．１６８．０．１１の端末装置１０２に返す。無線伝送アプリケーションは、接続許可の応答が得られた場合、ＩＰアドレス１９２．１６８．０．１０の表示装置１０１に対して、映像信号の無線伝送を開始する。
【００６４】
ここで、有線ケーブル１０３を表示装置１０１に接続することなく、端末装置において無線伝送の設定を手動で実施した場合を考える。その場合、識別子情報が一致しないことから、表示装置１０１は、その端末装置の接続を許可しない。このため、例えばネットワーク１０５に接続している他の端末装置１０６又は１０７が表示装置１０１への無線伝送の接続を試みたとしても、その接続は許可されない。表示装置１０１は、有線ケーブル１０３を介して接続されない限り、端末装置に対して無線伝送の接続を許可しないため、誤接続を防止、セキュリティ性能を高める効果が得られる。
【００６５】
なお、上記では、主に有線ケーブル１０３に映像信号ケーブルが用いられる例を説明したが、これには限定されない。有線ケーブル１０３には有線ＬＡＮケーブルを用いることができ、表示装置１０１と端末装置１０２とを有線ＬＡＮで接続することとしてもよい。この場合でも、表示装置１０１から端末装置１０２に有線ＬＡＮケーブルを通じて設定情報を送信することで、上記と同様な動作を実現できる。表示装置１０１と端末装置１０２とを有線ＬＡＮで接続する場合、その有線ＬＡＮは、ネットワーク（無線ＬＡＮ）１０５とは異なるネットワーク体系で確立されており、表示装置１０１と端末装置１０２とにおいて有線ＬＡＮのネットワーク設定がなされている。
【００６６】
次いで、本発明の第２実施形態を説明する。図６は、本発明の第２実施形態に係る表示システムを示す。本実施形態に係る表示システム１００ａでは、表示装置１０１と端末装置１０２とは、無線アクセスポイント装置１０４を介さずに直接に無線通信を行うこともできる。本実施形態では、表示装置１０１は、有線ケーブル１０３を通じて設定情報を送信するのに代えて、無線アクセスポイント装置１０４を介さずに端末装置１０２に無線で設定情報を送信する。表示装置１０１と端末装置１０２との無線接続には、例えばｂｌｕｅｔｏｏｔｈ接続が用いられる。
【００６７】
本実施形態において、表示装置１０１は、有線通信部１１２（図２を参照）に代えて、又はこれに加えて、端末装置１０２と無線アクセスポイント装置１０４を介さずに直接に無線通信するための別の無線通信部を有する。端末装置１０２は、有線通信部１２２（図３を参照）に代えて、又はこれに加えて、表示装置１０１と無線アクセスポイント装置１０４を介さずに直接に無線通信するための別の無線通信部を有する。以下、便宜上、表示装置１０１の無線通信部１１４を第１の無線通信部と呼び、別の無線通信部を第２の無線通信部とも呼ぶ。また、端末装置１０２の無線通信部１２４を第１の無線通信部と呼び、別の無線通信部を第２の無線通信部とも呼ぶ。
【００６８】
ユーザは、例えばノートＰＣなどの端末装置１０２を、ｂｌｕｅｔｏｏｔｈ接続が可能な程度に表示装置１０１に近づけて、デバイス検索を行う。表示装置１０１と端末装置１０２との間でペアリングを行うことで、表示装置１０１と端末装置１０２との間のシリアル通信は、ＳＰＰ（Serial Port Profile）を利用してｂｌｕｅｔｏｏｔｈ無線化される。表示装置１０１は、端末装置１０２へ、別の無線通信部を通じて設定情報を送信する。設定情報を受信した端末装置１０２（無線伝送アプリケーション）は、別の無線通信部を通じて受信した設定情報を用いて無線アクセスポイント装置１０４に接続し、表示装置１０１に接続要求を送信する。その後の動作は第１実施形態と同様でよい。
【００６９】
本実施形態では、端末装置１０２を有線ケーブル１０３で表示装置１０１に接続する必要がないため、有線ケーブルの接続を省略できるメリットがある。しかしながら、無線接続は目視することができないため、誤接続の抑制という観点では、有線ケーブルを用いた場合のほうが有利である。一方で、本実施形態において、設定情報が無線情報を含む場合には、端末装置１０２は、その情報を用いて無線アクセスポイント装置１０４に接続できる。すなわち、ユーザが、端末装置１０２を表示装置１０１と同じネットワークに接続させるための情報をあらかじめ知らない場合でも、端末装置１０２を表示装置１０１と同じネットワークに接続させることができる効果については、有線ケーブルを用いた場合と同様に得ることができる。
【００７０】
なお、上記では、別の無線通信部がｂｌｕｅｔｏｏｔｈ接続を行うものとして説明したが、これには限定されない。別の無線通信部は、短距離無線通信技術（ＮＦＣ：Near Field Communication）を用いて通信を行ってもよい。ＮＦＣを用いた場合の手法は、ＮＦＣ端末間ペアリングのＷｉ−Ｆｉハンドオーバに類似している。ユーザは、例えば端末装置１０２を表示装置１０１にかざすなどすることで、表示装置１０１と端末装置１０２との間の距離を十分に近い距離、例えば１０ｃｍ程度の近距離にする。表示装置１０１は、ＮＦＣで端末装置１０２に設定情報を送信する。設定情報を受信した端末装置１０２（無線伝送アプリケーション）は、別の無線通信部を通じて受信した設定情報を用いて無線アクセスポイント装置１０４に接続し、表示装置１０１に接続要求を送信する。その後の動作は第１実施形態と同様でよい。
【００７１】
以上、本発明の実施形態を説明したが、本発明は上記実施の形態に限られたものではなく、趣旨を逸脱しない範囲で適宜変更することが可能である。
【００７２】
例えば、上記の実施形態の一部又は全部は、以下の付記のようにも記載され得るが、以下には限られない。
【００７３】
［付記１］
端末装置と有線ケーブルを通じて通信を行う有線通信部と、
無線アクセスポイント装置に接続し、該無線アクセスポイント装置との間で無線通信を行う無線通信部と、
前記有線通信部を通じて、表示装置の識別子情報を含む設定情報を前記端末装置に送信する情報送信部と、
前記無線アクセスポイント装置に接続された端末装置から、前記無線通信部を通じて表示装置の識別子情報を含む接続要求を受信し、該接続要求に含まれる識別子情報が自表示装置の識別子情報に一致する場合、前記無線通信部に、前記無線アクセスポイント装置を介した前記端末装置との間の無線通信を開始させる接続処理部と、
前記無線アクセスポイント装置を介して前記端末装置から映像信号を受信し、該映像信号に基づく映像表示を行う映像表示部とを備える表示装置。
【００７４】
［付記２］
前記設定情報は、前記無線アクセスポイント装置への接続に関連する無線情報を更に含む付記１に記載の表示装置。
【００７５】
［付記３］
前記無線情報は、前記無線アクセスポイント装置の識別子情報、及び前記端末装置と前記無線アクセスポイント装置との間の通信に用いられる通信方式を含む付記２に記載の表示装置。
【００７６】
［付記４］
前記設定情報は、前記表示装置のアドレス情報を更に含む付記１から３に何れか１つに記載の表示装置。
【００７７】
［付記５］
前記有線ケーブルは映像信号ケーブルである付記１から４何れか１つに記載の表示装置。
【００７８】
［付記６］
前記有線ケーブルは通信ケーブルである付記１から４何れか１つに記載の表示装置。
【００７９】
［付記７］
プロジェクタ装置である付記１から６何れか１つに記載の表示装置。
【００８０】
［付記８］
表示装置と有線ケーブルを通じて通信を行う有線通信部と、
無線アクセスポイント装置に接続し、該無線アクセスポイント装置との間で無線通信を行う無線通信部と、
前記有線通信部を通じて、前記表示装置から、該表示装置の識別子情報を含む設定情報を受信する情報取得部と、
前記無線アクセスポイント装置に接続された表示装置に対して、前記無線通信部を通じて前記識別子情報を含む接続要求を送信する接続要求部と、
前記無線アクセスポイント装置を介した前記表示装置との間の無線通信が開始された後、前記無線アクセスポイント装置を介して前記表示装置に映像信号を送信する映像信号送信部とを備える端末装置。
【００８１】
［付記９］
前記接続要求に含まれる識別子情報が、前記接続要求の送信先の表示装置の識別子情報に一致する場合、前記表示装置との間の無線通信が開始される付記８に記載の端末装置。
【００８２】
［付記１０］
前記設定情報は、前記無線アクセスポイント装置への接続に関連する無線情報を更に含んでおり、
前記無線通信部は、前記無線情報を用いて前記無線アクセスポイント装置に接続する付記８又は９に記載の端末装置。
【００８３】
［付記１１］
前記無線情報は、前記無線アクセスポイント装置の識別子情報、及び前記無線アクセスポイント装置との間の通信に用いられる通信方式を含む付記１０に記載の端末装置。
【００８４】
［付記１２］
前記設定情報は、前記表示装置のアドレス情報を更に含んでおり、
前記接続要求部は、前記設定情報に含まれる前記表示装置のアドレス情報を用いて、前記表示装置に前記接続要求を送信する付記８から１１に何れか１つに記載の端末装置。
【００８５】
［付記１３］
表示装置と端末装置と無線アクセスポイント装置とを備え、
前記表示装置は、前記端末装置と有線ケーブルを通じて通信を行う有線通信部と、前記無線アクセスポイント装置に接続し、該無線アクセスポイント装置との間で無線通信を行う無線通信部とを有し、かつ前記端末装置は、前記表示装置と前記有線ケーブルを通じて通信を行う有線通信部と、前記無線アクセスポイント装置に接続し、該無線アクセスポイント装置との間で無線通信を行う無線通信部とを有しており、
前記表示装置は、前記端末装置と有線ケーブルを介して接続されると、有線通信部を通じて表示装置の識別子情報を含む設定情報を前記端末装置に送信し、
前記端末装置は、前記表示装置から前記有線通信部を通じて前記設定情報を受信すると、前記無線通信部を通じて、前記無線アクセスポイント装置を介して前記識別子情報を含む接続要求を前記表示装置に送信し、
前記表示装置は、前記端末装置から受信した接続要求に含まれる識別子情報が自表示装置の識別子情報に一致する場合、前記端末装置との間で前記無線アクセスポイント装置を介した通信を開始し、
前記端末装置は、前記表示装置との間で前記無線アクセスポイント装置を介した通信が開始された後、前記無線アクセスポイント装置を介して前記表示装置に映像信号を送信し、
前記表示装置は、前記無線アクセスポイント装置を介して前記端末装置から映像信号を受信し、該映像信号に基づく映像表示を行う表示システム。
【００８６】
［付記１４］
端末装置と有線ケーブルを介して接続された表示装置から、前記有線ケーブルを通じて、表示装置の識別子情報を含む設定情報を前記端末装置に送信するステップと、
前記端末装置から、前記有線ケーブルを通じて表示装置の識別子情報を含む接続要求を受信し、該接続要求に含まれる識別子情報が自表示装置の識別子情報に一致する場合、前記表示装置と前記端末装置との間で無線アクセスポイント装置を介した無線通信を開始するステップと、
前記無線アクセスポイント装置を介して前記端末装置から映像信号を受信し、該映像信号に基づく映像表示を行うステップとを有する表示方法。
【００８７】
［付記１５］
端末装置と有線ケーブルを介して接続された表示装置から、前記有線ケーブルを通じて、表示装置の識別子情報を含む設定情報を受信するステップと、
前記有線ケーブルを通じて表示装置の識別子情報を含む接続要求を前記表示装置に送信するステップと、
前記表示装置と前記端末装置との間で無線アクセスポイント装置を介した無線通信が開始された後、前記無線アクセスポイント装置を介して前記表示装置に映像信号を送信し、前記表示装置に前記映像信号に基づく映像表示を行わせるステップとを有する表示方法。
【００８８】
［付記１６］
表示装置に、
有線ケーブルを介して接続された端末装置に、前記有線ケーブルを通じて、表示装置の識別子情報を含む設定情報を送信するステップと、
前記端末装置から、前記有線ケーブルを通じて表示装置の識別子情報を含む接続要求を受信し、該接続要求に含まれる識別子情報が自表示装置の識別子情報に一致する場合、前記端末装置との間で無線アクセスポイント装置を介した無線通信を開始するステップと、
前記無線アクセスポイント装置を介して前記端末装置から映像信号を受信し、該映像信号に基づく映像表示を行うステップとを実行させるためのプログラム。
【００８９】
［付記１７］
端末装置に、
有線ケーブルを介して接続された表示装置から、前記有線ケーブルを通じて、表示装置の識別子情報を含む設定情報を受信するステップと、
前記有線ケーブルを通じて表示装置の識別子情報を含む接続要求を前記表示装置に送信するステップと、
前記端末装置との間で無線アクセスポイント装置を介した無線通信が開始された後、前記無線アクセスポイント装置を介して前記表示装置に映像信号を送信し、前記表示装置に前記映像信号に基づく映像表示を行わせるステップとを実行させるためのプログラム。
【符号の説明】
【００９０】
１００：表示システム
１０１：表示装置
１０２：端末装置
１０３：有線ケーブル
１０５：ネットワーク
１０６、１０７：端末装置
１１１：映像入力端子
１１２：有線通信部
１１３：情報送信部
１１４：無線通信部
１１５：接続処理部
１１６：映像表示部
１２１：映像出力端子
１２２：有線通信部
１２３：情報取得部
１２４：無線通信部
１２４：又は無線通信部
１２５：接続要求部
１２６：映像信号送信部
【図１】
2018032899.tif 000003
【図２】
2018032899.tif 000004
【図３】
2018032899.tif 000005
【図４】
2018032899.tif 000006
【図５】
2018032899.tif 000007
【図６】
2018032899.tif 000008